(57)【要約】【課題】ＩＰ網内に新たにＳＳＦ機能を配備することなく、ＰＳＴＮに既に導入されているＳＳＰ内のＳＳＦ機能を有効に活用することにより、従来のＰＳＴＮ内呼と同様に、ＰＳＴＮとＩＰ網との相互接続呼やＩＰ網内呼に対しても早期かつ低コストでＩＮサービスを提供可能とする。【解決手段】ＩＰ網１０５内のプロキシサーバ１０９および／またはメディアゲートウェイ制御装置１０７が、ＩＰ電話端末ＩＴ１から発信されたＩＮサービス呼のダイヤル番号を分析し、ダイヤル番号の分析結果に基づいてＩＮサービス呼をＰＳＴＮ１０１へルーチングし、ＰＳＴＮ１０１内のＳＳＰ１０２が、ＩＮサービス呼に対する制御指示をＳＣＰ１０４に対して要求する。【選択図】        図１
2004260331.tif 000002
【特許請求の範囲】
【請求項１】
ＰＳＴＮ（公衆電話網）内の一般電話端末から発信されたＩＮ（インテリジェントネットワーク）サービス呼に対して、ＳＣＰ（サービス制御ノード）がＰＳＴＮ内のＳＳＰ（サービス交換ノード）に制御指示を出力することにより実現していたＩＮサービスを、ＩＰ電話端末から発信されたＩＮサービス呼に対しても提供するＩＮサービス提供方法であって、ＩＰ網内において、ＩＰ電話端末から発信されたＩＮサービス呼のダイヤル番号を分析するステップと、ダイヤル番号の分析結果に基づいてＩＮサービス呼をＰＳＴＮへルーチングするステップとを有し、ＰＳＴＮ内において、一般電話端末からの発信時と同様に、ＳＳＰが前記ＩＮサービス呼に対する制御指示をＳＣＰに対して要求するステップを有することを特徴とするＩＰ電話端末発信呼に対するＩＮサービス提供方法。
【請求項２】
ＰＳＴＮ（公衆電話網）内に設けられたＳＳＰ（サービス交換ノード）と、ＳＳＰに制御指示を出力することによりＩＮ（インテリジェントネットワーク）サービスを実現するＳＣＰ（サービス制御ノード）と、ＩＰ電話端末が接続されるＩＰ網とを具備するＩＮサービス提供システムであって、ＩＰ網内に、ＩＰ電話端末から発信されたＩＮサービス呼のダイヤル番号を分析する機能と、ダイヤル番号の分析結果に基づいてＩＮサービス呼をＰＳＴＮへルーチングする機能とを有し、ＰＳＴＮ内のＳＳＰに、前記ＩＮサービス呼に対する制御指示をＳＣＰに対して要求する機能を有することを特徴とするＩＰ電話端末発信呼に対するＩＮサービス提供システム。
【請求項３】
ＰＳＴＮ（公衆電話網）内の一般電話端末から発信されたＩＮ（インテリジェントネットワーク）サービス呼に対して、ＳＣＰ（サービス制御ノード）がＰＳＴＮ内のＳＳＰ（サービス交換ノード）に制御指示を出力することにより実現していたＩＮサービスを、ＩＰ電話端末から発信されたＩＮサービス呼に対しても提供するＩＮサービス提供プログラムであって、ＩＰ網内のコンピュータに、ＩＰ電話端末から発信されたＩＮサービス呼のダイヤル番号を分析する機能と、ダイヤル番号の分析結果に基づいてＩＮサービス呼をＰＳＴＮへルーチングする機能とを実現させ、ＰＳＴＮ内のコンピュータに、前記ＩＮサービス呼に対する制御指示をＳＣＰに対して要求する機能を実現させることを特徴とするＩＰ電話端末発信呼に対するＩＮサービスプログラム。
【請求項４】
請求項３に記載されたＩＮサービス提供プログラムを記録した記録媒体。
【請求項５】
ＰＳＴＮ（公衆電話網）内に設けられたＳＳＰ（サービス交換ノード）と、ＳＳＰからの要求に従って制御指示を出力することによりＩＮ（インテリジェントネットワーク）サービスを実現するＳＣＰ（サービス制御ノード）とを具備するＩＮサービス提供システムに用いるプロキシサーバであって、ＩＰ電話端末から発信されたＩＮサービス呼のダイヤル番号を分析する機能と、ダイヤル番号の分析結果に基づいてＩＮサービス呼をＰＳＴＮへルーチングする機能とを有することを特徴とするプロキシサーバ。
【請求項６】
ＰＳＴＮ（公衆電話網）内に設けられたＳＳＰ（サービス交換ノード）と、ＳＳＰからの要求に従って制御指示を出力することによりＩＮ（インテリジェントネットワーク）サービスを実現するＳＣＰ（サービス制御ノード）とを具備するＩＮサービス提供システムに用いるメディアゲートウェイ制御装置であって、ＩＰ電話端末から発信されたＩＮサービス呼のダイヤル番号を分析する機能と、ダイヤル番号の分析結果に基づいてＩＮサービス呼をＰＳＴＮへルーチングする機能とを有することを特徴とするメディアゲートウェイ制御装置。
【請求項７】
請求項５に記載したプロキシサーバを具備することを特徴とするＩＰネットワーク。
【請求項８】
請求項６に記載したメディアゲートウェイ制御装置を具備することを特徴とするＩＰネットワーク。
【請求項９】
ＰＳＴＮ（公衆電話網）内に設けられたＳＳＰ（サービス交換ノード）と、ＳＳＰからの要求に従って制御指示を出力することによりＩＮ（インテリジェントネットワーク）サービスを実現するＳＣＰ（サービス制御ノード）とを具備するＩＮサービス提供システムに用いるプロキシサーバとメディアゲートウェイ制御装置とを具備するＩＰネットワークであって、プロキシサーバは、ＩＰ電話端末から発信されたＩＮサービス呼のダイヤル番号を分析する機能と、ダイヤル番号の分析結果に基づいてＩＮサービス呼を適切なメディアゲートウェイ制御装置に転送する機能とを有し、メディアゲートウェイ制御装置は、ＩＮサービス呼のダイヤル番号を受信して分析する機能と、ダイヤル番号の分析結果に基づいてＩＮサービス呼をＰＳＴＮへルーチングする機能とを有することを特徴とするＩＰネットワーク。
【請求項１０】
請求項１に記載したＩＮサービス提供方法において、ＩＰ電話端末から発信されたＩＮサービス呼はＰＳＴＮ内の一般電話端末を着信先とするフリーフォンサービス呼であり、ＳＣＰが、フリーフォンサービスのサービス制御論理に従って制御指示を出力するステップと、ＳＳＰが、ＳＣＰから出力された制御指示に基づいて一般電話端末への呼び出しを行うステップとを有することを特徴とするＩＰ電話端末発信呼に対するＩＮサ−ビス提供方法。
【請求項１１】
請求項３に記載したＩＮサービス提供プログラムにおいて、ＩＰ電話端末から発信されたＩＮサービス呼はＰＳＴＮ内の一般電話端末を着信先とするフリーフォンサービス呼であり、ＰＳＴＮ内のコンピュータに、ＳＣＰからフリーフォンサービスのサービス制御論理に従って出力された制御指示に基づいて、一般電話端末への呼び出しを行う機能を実現させることを特徴とするＩＰ電話端末発信呼に対するＩＮサ−ビス提供プログラム。
【請求項１２】
請求項１に記載したＩＮサービス提供方法において、ＩＰ電話端末から発信されたＩＮサービス呼は他のＩＰ電話端末を着信先とするフリーフォンサービス呼であり、ＳＣＰが、フリーフォンサービスのサービス制御論理に従って制御指示を出力するステップと、ＳＳＰが、ＳＣＰから出力された制御指示に基づいてＩＰ網へのルーチングを行うステップと、ＩＰ網内の装置が、前記制御指示に基づいて他のＩＰ電話端末への呼び出しを行うステップとを有することを特徴とするＩＰ電話端末発信呼に対するＩＮサ−ビス提供方法。
【請求項１３】
請求項３に記載したＩＮサービス提供プログラムにおいて、ＩＰ電話端末から発信されたＩＮサービス呼は他のＩＰ電話端末を着信先とするフリーフォンサービス呼であり、ＰＳＴＮ内のコンピュータに、ＳＣＰからフリーフォンサービスのサービス制御論理に従って出力された制御指示に基づいてＩＰ網へのルーチングを行う機能を実現させ、ＩＰ網内のコンピュータに、前記制御指示に基づいて他のＩＰ電話端末への呼び出しを行う機能を実現させることを特徴とするＩＰ電話端末発信呼に対するＩＮサ−ビス提供プログラム。
【請求項１４】
請求項１１または１３に記載されたＩＮサービス提供プログラムを記録した記録媒体。
【発明の詳細な説明】
【０００１】
【発明の属する技術分野】
本発明は、ＩＰ（Ｉｎｔｅｒｎｅｔ  Ｐｒｏｔｏｃｏｌ）電話端末発信呼に対するインテリジェントネットワーク（Ｉｎｔｅｌｌｉｇｅｎｔ  Ｎｅｔｗｏｒｋ）サービス提供方法及びシステムに関し、特に、ＩＰ電話端末からの発信呼に対しＰＳＴＮ（Ｐｕｂｌｉｃ  Ｓｗｉｔｃｈｅｄ  Ｔｅｌｅｐｈｏｎｅ  Ｎｅｔｗｏｒｋ：公衆電話網）内で提供するＩＮサービスを提供する方法及びシステム等に関するものである。
【０００２】
【従来の技術】
一般に、インテリジェントネットワーク（以下、「ＩＮ」という）では、ＳＣＰ（Ｓｅｒｖｉｃｅ  Ｃｏｎｔｒｏｌ  Ｐｏｉｎｔ：サービス制御ノード）と呼ばれるノードを設置し、このＳＣＰ内に各種のＩＮサービスを実現するため制御プログラムと制御データを蓄積している。各種のＩＮサービスは、ＳＣＰが、この制御プログラムと制御データに基づいて、Ｎｏ．７信号網（Ｓｉｇｎａｌｌｉｎｇ  Ｓｙｓｔｅｍ  Ｎｏ．７：ＳＳ７信号網）を介してＳＳＰ（Ｓｅｒｖｉｃｅ  Ｓｗｉｔｃｈｉｎｇ  Ｐｏｉｎｔ：サービス交換ノード）と呼ばれる交換機にＩＮサービス制御指示を与えることによって提供される。
【０００３】
従来、ＩＮサービスは、ＰＳＴＮと呼ばれる公衆電話網に閉じた型で提供されてきたが、近年のＩＰテレフォニサービスの勃興により、ＰＳＴＮとＩＰ網（ＩＰネットワーク）との相互接続呼やＩＰ網内呼に対しても、ＰＳＴＮ内呼と同様にＩＮサービスの提供が要望されている。
【０００４】
これに対し、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）のＩＮ標準勧告Ｑ．１２４４やＱ．１２４８を始めとする各種標準化文書では、ＩＰ網内のメディアゲートウェイ制御装置にＳＳＦ（Ｓｅｒｖｉｃｅ  Ｓｗｉｔｃｈｉｎｇ  Ｆｕｎｃｔｉｏｎ：サービス交換機能）と呼ばれるＳＣＰへのアクセス機能を配備する方式を規定している（例えば、非特許文献１，２参照）。
【０００５】
また、ＩＮにおけるＳＣＰが、Ｎｏ．７信号網による信号方式だけでなく、他の通信プロトコル（Ｘ．２５、ＴＣＰ／ＩＰ）を利用した通信にも対応することにより、ＩＮサービスを種々の通信網に提供可能とする発明が提案されている（例えば、特許文献１参照）。
【０００６】
【非特許文献１】
「ＩＴＵ−Ｔ勧告Ｑ．１２４４」，４．３節、６．１節、６．２節
【非特許文献２】
「ＩＴＵ−Ｔ勧告Ｑ．１２４８」
【特許文献１】
特開平１１−６８８４３号公報（段落〔００１１〕、〔００１２〕）
【０００７】
【発明が解決しようとする課題】
このように、ＩＰ網内のメディアゲートウェイ制御装置にＳＳＦ機能を配備する方式では、ＩＮの基本呼状態モデルや各種状態管理機能をＩＰ網内にも配備する必要が生じるだけでなく、ＩＮの制御プロトコルであるＩＮＡＰ（ＩＮ  Ａｐｐｌｉｃａｔｉｏｎ  Ｐｒｏｔｏｃｏｌ）とＩＰ網内の信号プロトコルとのマッピングも行わなければならず、開発・導入する上での影響度が非常に大きかった。
【０００８】
本発明は、上述した事情に鑑みてなされたものであり、その目的は、ＩＰ網内に新たにＳＳＦ機能を配備することなく、ＰＳＴＮに既に導入されているＳＳＰ内のＳＳＦ機能を有効に活用することにより、ＰＳＴＮとＩＰ網との相互接続呼やＩＰ網内呼に対しても、従来のＰＳＴＮ内呼と同様にＩＮサービスを提供可能とすることにある。
【０００９】
【課題を解決するための手段】
請求項１の発明は、ＰＳＴＮ（公衆電話網）内の一般電話端末から発信されたＩＮ（インテリジェントネットワーク）サービス呼に対して、ＳＣＰ（サービス制御ノード）がＰＳＴＮ内のＳＳＰ（サービス交換ノード）に制御指示を出力することにより実現していたＩＮサービスを、ＩＰ電話端末から発信されたＩＮサービス呼に対しても提供するＩＮサービス提供方法であって、ＩＰ網内において、ＩＰ電話端末から発信されたＩＮサービス呼のダイヤル番号を分析するステップと、ダイヤル番号の分析結果に基づいてＩＮサービス呼をＰＳＴＮへルーチングするステップとを有し、ＰＳＴＮ内において、一般電話端末からの発信時と同様に、ＳＳＰが前記ＩＮサービス呼に対する制御指示をＳＣＰに対して要求するステップを有することを特徴とするものである。
【００１０】
請求項２の発明は、ＰＳＴＮ（公衆電話網）内に設けられたＳＳＰ（サービス交換ノード）と、ＳＳＰに制御指示を出力することによりＩＮ（インテリジェントネットワーク）サービスを実現するＳＣＰ（サービス制御ノード）と、ＩＰ電話端末が接続されるＩＰ網とを具備するＩＮサービス提供システムであって、ＩＰ網内に、ＩＰ電話端末から発信されたＩＮサービス呼のダイヤル番号を分析する機能と、ダイヤル番号の分析結果に基づいてＩＮサービス呼をＰＳＴＮへルーチングする機能とを有し、ＰＳＴＮ内のＳＳＰに、前記ＩＮサービス呼に対する制御指示をＳＣＰに対して要求する機能を有することを特徴とするものである。
【００１１】
請求項３の発明は、ＰＳＴＮ（公衆電話網）内の一般電話端末から発信されたＩＮ（インテリジェントネットワーク）サービス呼に対して、ＳＣＰ（サービス制御ノード）がＰＳＴＮ内のＳＳＰ（サービス交換ノード）に制御指示を出力することにより実現していたＩＮサービスを、ＩＰ電話端末から発信されたＩＮサービス呼に対しても提供するＩＮサービス提供プログラムであって、ＩＰ網内のコンピュータに、ＩＰ電話端末から発信されたＩＮサービス呼のダイヤル番号を分析する機能と、ダイヤル番号の分析結果に基づいてＩＮサービス呼をＰＳＴＮへルーチングする機能とを実現させ、ＰＳＴＮ内のコンピュータに、前記ＩＮサービス呼に対する制御指示をＳＣＰに対して要求する機能を実現させることを特徴とするものである。
【００１２】
請求項４の発明は、請求項３に記載されたＩＮサービス提供プログラムを記録した記録媒体である。
【００１３】
請求項５の発明は、ＰＳＴＮ（公衆電話網）内に設けられたＳＳＰ（サービス交換ノード）と、ＳＳＰからの要求に従って制御指示を出力することによりＩＮ（インテリジェントネットワーク）サービスを実現するＳＣＰ（サービス制御ノード）とを具備するＩＮサービス提供システムに用いるプロキシサーバであって、ＩＰ電話端末から発信されたＩＮサービス呼のダイヤル番号を分析する機能と、ダイヤル番号の分析結果に基づいてＩＮサービス呼をＰＳＴＮへルーチングする機能とを有することを特徴とするものである。
【００１４】
請求項６の発明は、ＰＳＴＮ（公衆電話網）内に設けられたＳＳＰ（サービス交換ノード）と、ＳＳＰからの要求に従って制御指示を出力することによりＩＮ（インテリジェントネットワーク）サービスを実現するＳＣＰ（サービス制御ノード）とを具備するＩＮサービス提供システムに用いるメディアゲートウェイ制御装置であって、ＩＰ電話端末から発信されたＩＮサービス呼のダイヤル番号を分析する機能と、ダイヤル番号の分析結果に基づいてＩＮサービス呼をＰＳＴＮへルーチングする機能とを有することを特徴とするものである。
【００１５】
請求項７の発明は、請求項５に記載したプロキシサーバを具備することを特徴とするＩＰネットワークである。
【００１６】
請求項８の発明は、請求項６に記載したメディアゲートウェイ制御装置を具備することを特徴とするＩＰネットワークである。
【００１７】
請求項９の発明は、ＰＳＴＮ（公衆電話網）内に設けられたＳＳＰ（サービス交換ノード）と、ＳＳＰからの要求に従って制御指示を出力することによりＩＮ（インテリジェントネットワーク）サービスを実現するＳＣＰ（サービス制御ノード）とを具備するＩＮサービス提供システムに用いるプロキシサーバとメディアゲートウェイ制御装置とを具備するＩＰネットワークであって、プロキシサーバは、ＩＰ電話端末から発信されたＩＮサービス呼のダイヤル番号を分析する機能と、ダイヤル番号の分析結果に基づいてＩＮサービス呼を適切なメディアゲートウェイ制御装置に転送する機能とを有し、メディアゲートウェイ制御装置は、ＩＮサービス呼のダイヤル番号を受信して分析する機能と、ダイヤル番号の分析結果に基づいてＩＮサービス呼をＰＳＴＮへルーチングする機能とを有することを特徴とするものである。
【００１８】
本発明の好適な第１の実施例は、ＩＰ電話端末から発信されたＩＮサービス呼はＰＳＴＮ内の一般電話端末を着信先とするフリーフォンサービス呼であり、ＳＣＰが、フリーフォンサービスのサービス制御論理に従って制御指示を出力し、ＳＳＰが、ＳＣＰから出力された制御指示に基づいて一般電話端末への呼び出しを行うことを特徴とするものである。これにより、ＰＳＴＮとＩＰ網との相互接続呼に対して、従来のＰＳＴＮ内呼と同様にフリーフォンのＩＮサービスを提供できる。尚、フリーフォンサービスとは、通信料金を発信者ではなく着信者に課金するサービスをいう。
【００１９】
本発明の好適な第２の実施例は、ＩＰ電話端末から発信されたＩＮサービス呼は他のＩＰ電話端末を着信先とするフリーフォンサービス呼であり、ＳＣＰが、フリーフォンサービスのサービス制御論理に従って制御指示を出力し、ＳＳＰが、ＳＣＰから出力された制御指示に基づいてＩＰ網へのルーチングを行い、ＩＰ網内の装置が、前記制御指示に基づいて他のＩＰ電話端末への呼び出しを行うことを特徴とするものである。これにより、ＩＰ網内呼に対して、従来のＰＳＴＮ内呼と同様にフリーフォンのＩＮサービスを提供できる。
【００２０】
【発明の実施の形態】
以下、図面を参照して、本発明の実施の形態について詳細に説明する。
図１は、本発明の実施の形態に係るＩＮサービス提供システムの概略構成図である。本ＩＮサービス提供システムは、ＰＳＴＮ１０１、ＳＳ７信号網１０３及びＩＰ網１０５の通信網を備えている。ＰＳＴＮ１０１は、一般電話端末ＴＴが接続されるＳＳＰ１０２を備えており、ＳＳＰ１０２は、ＳＳ７信号網１０３を介して、各種のＩＮサービスを実現するための制御プログラムと制御データを蓄積したＳＣＰ１０４と接続される。ＩＰ網１０５は、ＰＳＴＮ１０１内のＳＳＰ１０２と接続されるメディアゲートウェイ１０６と、メディアゲートウェイ１０６を制御するメディアゲートウェイ制御装置１０７と、プロキシサーバ１０９とを備えている。また、メディアゲートウェイ制御装置１０７は、シグナリングゲートウェイ１０８を介してＳＳ７信号網１０３と接続され、ＩＰ電話端末ＩＴ１，ＩＴ２は、メディアゲートウェイ１０６及びプロキシサーバ１０９と接続される。
【００２１】
図２は、本発明の第１の実施形態におけるシグナリング動作を示すシーケンス図である。以下、フリーフォンサービスを例にとって、ＩＰ電話端末ＩＴ１から発信されたフリーフォンサービス呼の着信先がＰＳＴＮ１０１内の一般電話端末ＴＴである場合のシグナリング動作について説明する。尚、ＰＳＴＮ１０１内とＩＰ網１０５内で伝達する信号メッセージに適用する通信プロトコルとして、ＩＳＵＰ（ＩＳＤＮ  Ｕｓｅｒ  Ｐａｒｔ）とＳＩＰ（Ｓｅｓｓｉｏｎ  Ｉｎｉｔｉａｔｉｏｎ  Ｐｒｏｔｏｃｏｌ）をそれぞれ適用し、ＩＮサービス制御プロトコルとして、ＩＮＡＰを適用するものとする。
【００２２】
ＩＮサービスを受けるユーザがＩＰ電話端末ＩＴ１からフリーフォン番号をダイヤルすると、ＩＰ電話端末ＩＴ１は、フリーフォン番号を含むＩＮＶＩＴＥメッセージをプロキシサーバ１０９に送信する（ステップＳ２０１）。プロキシサーバ１０９は、ＩＮＶＩＴＥメッセージを受信すると、当該メッセージに含まれるフリーフォン番号を分析する。そして、受信したＩＮＶＩＴＥメッセージをメディアゲートウェイ制御装置１０７に転送する（ステップＳ２０２）。
【００２３】
メディアゲートウェイ制御装置１０７は、ＩＮＶＩＴＥメッセージを受信すると、当該メッセージに含まれるフリーフォン番号を分析する。また、当該ＩＮＶＩＴＥメッセージをＩＡＭ（Ｉｎｉｔｉａｌ  Ａｄｄｒｅｓｓ  Ｍｅｓｓａｇｅ）メッセージに変換する。そして、ＩＡＭメッセージを、シグナリングゲートウェイ１０８及びＳＳ７信号網１０３を介してＰＳＴＮ１０１内のＳＳＰ１０２に送信する（ステップＳ２０３）。
【００２４】
ＰＳＴＮ１０１内のＳＳＰ１０２は、ＩＡＭメッセージを受信すると、当該メッセージに含まれるフリーフォン番号を分析する。そして、ＩｎｉｔｉａｌＤＰメッセージを、ＳＳ７信号網１０３を介してＳＣＰ１０４に送信し、ＳＣＰ１０４からのＩＮサービス制御指示を要求する（ステップＳ２０４）。
【００２５】
ＳＣＰ１０４は、ＩｎｉｔｉａｌＤＰメッセージを受信すると、当該メッセージをフリーフォンサービスのサービス制御論理に従って処理し、実際の着信先となるフリーフォンサービス加入者の一般電話端末ＴＴに対する接続指示としてＣｏｎｎｅｃｔメッセージを生成する。そして、当該一般電話端末ＴＴの電話番号を含むＣｏｎｎｅｃｔメッセージを、ＳＳ７信号網１０３を介してＳＳＰ１０２に送信する（ステップＳ２０５）。
【００２６】
ＳＳＰ１０２は、Ｃｏｎｎｅｃｔメッセージを受信すると、当該メッセージに含まれる一般電話端末ＴＴの電話番号を分析し、当該一般電話端末ＴＴへの呼び出しを行う（ステップＳ２０６）。
【００２７】
このように、第１の実施形態に係るＩＮサービス提供システムによれば、ＩＰ網内のＩＰ電話端末ＩＴ１からＰＳＴＮ１０１内の一般電話端末ＴＴに発信されたフリーフォンサービス呼に対して、ＰＳＴＮ１０１内のＳＳＰ１０２におけるＳＳＦ機能を活用し、フリーフォンサービスを提供することができる。
【００２８】
図３は、本発明の第２の実施形態におけるシグナリング動作を示すシーケンス図である。以下、第１の実施形態と同様のフリーフォンサービスを例にとって、ＩＰ電話端末ＩＴ１から発信されたフリーフォンサービス呼の着信先がＩＰ網１０５内のＩＰ電話端末ＩＴ２である場合のシグナリング動作について説明する。尚、第１の実施形態と同様に、ＰＳＴＮ１０１内とＩＰ網１０５内で伝達する信号メッセージに適用する通信プロトコルとして、ＩＳＵＰ（ＩＳＤＮ  ＵｓｅｒＰａｒｔ）とＳＩＰ（Ｓｅｓｓｉｏｎ  Ｉｎｉｔｉａｔｉｏｎ  Ｐｒｏｔｏｃｏｌ）をそれぞれ適用し、ＩＮサービス制御プロトコルとして、ＩＮＡＰを適用する。
【００２９】
ＩＰ電話端末ＩＴ１からＩＮＶＩＴＥメッセージをプロキシサーバ１０９に送信する処理（ステップＳ３０１）、プロキシサーバ１０９からＩＮＶＩＴＥメッセージをメディアゲートウェイ制御装置１０７に転送する処理（ステップＳ３０２）、メディアゲートウェイ制御装置１０７からＩＡＭメッセージをシグナリングゲートウェイ１０８及びＳＳ７信号網１０３を介してＰＳＴＮ１０１内のＳＳＰ１０２に送信する処理（ステップＳ３０３）、ＳＳＰ１０２からＩｎｉｔｉａｌＤＰメッセージをＳＳ７信号網１０３を介してＳＣＰ１０４に送信する処理（ステップＳ３０４）は、それぞれ第１の実施形態におけるステップ２０１〜２０４の処理と同様である。
【００３０】
ＳＣＰ１０４は、ＳＳＰ１０２からＳＳ７信号網１０３を介してＩｎｉｔｉａｌＤＰメッセージを受信すると、当該メッセージをフリーフォンサービスのサービス制御論理に従って処理し、実際の着信先となるフリーフォンサービス加入者のＩＰ電話端末ＩＴ２に対する接続指示としてＣｏｎｎｅｃｔメッセージを生成する。そして、当該着信先のＩＰ電話端末ＩＴ２の電話番号を含むＣｏｎｎｅｃｔメッセージを、ＳＳ７信号網１０３を介してＳＳＰ１０２に送信する（ステップＳ３０５）。
【００３１】
ＳＳＰ１０２は、Ｃｏｎｎｅｃｔメッセージを受信すると、当該メッセージに含まれるＩＰ電話端末ＩＴ２の電話番号を分析し、再度ＩＰ網１０５への呼をルーチングする必要性があることを認識する。そして、ＩＰ電話端末ＩＴ２の電話番号を含むＩＡＭメッセージを、ＳＳ７信号網１０３及びシグナルゲートウェイ１０８を介してメディアゲートウェイ制御装置１０７に送信する（ステップＳ３０６）。
【００３２】
メディアゲートウェイ制御装置１０７は、ＩＡＭメッセージを受信すると、当当該メッセージに含まれるＩＰ電話端末ＩＴ２の電話番号を分析し、当該電話番号をＩＰアドレスに変換するとともに、ＩＡＭメッセージをＩＮＶＩＴＥメッセージに変換する。このとき、変換したＩＰアドレスをＩＮＶＩＴＥメッセージの宛先アドレスに設定する。そして、ＩＮＶＩＴＥメッセージをプロキシサーバ１０９に送信する（ステップＳ３０７）。
【００３３】
プロキシサーバ１０９は、ＩＮＶＩＴＥメッセージを受信すると、当該メッセージの宛先アドレスに対応するフリーフォンサービス加入者のＩＰ電話端末ＩＴ２に対してＩＮＶＩＴＥメッセージを送信し、当該ＩＰ電話端末ＩＴ２への呼び出しを行う（ステップＳ３０８）。
【００３４】
このように、第２の実施形態に係るＩＮサービス提供システムによれば、ＩＰ網内のＩＰ電話端末ＩＴ１からＩＰ網内のＩＰ電話端末ＩＴ２に発信されたフリーフォンサービス呼に対して、ＰＳＴＮ１０１内のＳＳＰ１０２におけるＳＳＦ機能を活用し、フリーフォンサービスを提供することができる。
【００３５】
本発明の第１及び第２の実施形態に係るＩＮサービス提供システムを構成するＳＳＰ１０２、ＳＣＰ１０４、メディアゲートウェイ１０６、メディアゲートウェイ制御装置１０７、プロキシサーバ１０９、ＩＰ電話端末ＩＴ１，ＩＴ２及び一般電話端末ＴＴは、それぞれ、上述したシグナリング動作の機能を有するソフトウェアを組み込んだコンピュータによって実現する。また、このソフトウェアは、コンピュータに実行させることのできるプログラムとして、磁気ディスク、光ディスク、半導体メモリ等の記録媒体に格納して頒布することもできる。
【００３６】
以上、実施の形態を挙げて本発明を説明したが、本発明は上記の実施の形態に限定されるものではない。例えば、上記第１及び第２の実施形態においては、フリーフォンのＩＮサービス、ＩＮサービス制御プロトコル、ＰＳＴＮ１０１内とＩＰ網１０５内で伝達する信号メッセージに適用する通信プロトコルを具体的に特定したが、本発明の要旨を逸脱しない範囲で自由に選択することができる。
【００３７】
【発明の効果】
以上説明したように、ＩＰ電話端末発信呼に対するＩＮサービス提供方法及びシステム等によれば、ＩＰ網内のプロキシサーバまたはメディアゲートウェイ制御装置が、ＩＰ電話端末から発信されたＩＮサービス呼のダイヤル番号を分析し、ダイヤル番号の分析結果に基づいてＩＮサービス呼をＰＳＴＮへルーチングし、ＳＳＰが、ＩＮサービス呼に対する制御指示をＳＣＰに対して要求する。これにより、ＩＰ網内に新たにＳＳＦ機能を配備することなく、ＰＳＴＮに既に導入されているＳＳＰ内のＳＳＦ機能を有効に活用することによって、ＰＳＴＮとＩＰ網との相互接続呼やＩＰ網内呼に対しても、従来のＰＳＴＮ内呼と同様にＩＮサービスを提供することができる。従って、ＰＳＴＮとＩＰ網との相互接続やＩＰ網内呼に対するＩＮサービスを早期かつ低コストで導入可能になるという効果がある。
【図面の簡単な説明】
【図１】本発明の実施の形態に係るＩＮサービス提供システムの概略構成図である。
【図２】本発明の第１の実施形態におけるシグナリング動作を示すシーケンス図である。
【図３】本発明の第２の実施形態におけるシグナリング動作を示すシーケンス図である。
【符号の説明】
１０１  ＰＳＴＮ（公衆電話網）
１０２  ＳＳＰ（サービス交換ノード）
１０３  ＳＳ７信号網
１０４  ＳＣＰ（サービス制御ノード）
１０５  ＩＰ網
１０６  メディアゲートウェイ
１０７  メディアゲートウェイ制御装置
１０８  シグナリングゲートウェイ
１０９  プロキシサーバ
ＴＴ  一般電話端末
ＩＴ１，ＩＴ２  ＩＰ電話端末
【図１】
2004260331.tif 000003
【図２】
2004260331.tif 000004
【図３】
2004260331.tif 000005